(57)【要約】【課題】操縦席の左横側へ設けた操作装置の上側の操作パネルを前・後操作パネルに二分割すると共に、着脱自在に設けて、操作装置の下側へ設けた各部品のメンテナンスを容易にすると共に、塵埃の溜りを防止しようとするものである。【解決手段】走行車台２の上部には、各種操作レバー１５ａ，１５ｂ等を装着する操作ボックス１４の上側を覆う前後に二分割した、前・後操作パネル１６，１７を着脱自在に設け、後操作パネル１７の前部横側には、下部へ設けた油圧式無段変速装置を覆う横カバー１８を、後操作パネル１７と一体に設けた構成である。【選択図】図１。
2006230282.tif 000002
【特許請求の範囲】
【請求項１】
走行車台（２）の上部へ設けた操縦席（８）の一方側の横側には、各種操作レバー（１５ａ），（１５ｂ）等を装着する操作ボックス（１４）と、該操作ボックス（１４）の上側を覆う前後に二分割した前操作パネル（１６）と、後操作パネル（１７）等とを着脱自在に設けたコンバインの操作装置において、前記走行車台（２）へ載置した油圧式無段変速装置（１９）を覆う横カバー（１８）を、後操作パネル（１７）の前部横側へ一体に設けたことを特徴とするコンバインの操作装置。
【請求項２】
前記横カバー（１８）部は、走行車台（２）へ設けた走行用のミッションケース（２０）へ給油する給油口（２０ｃ）部を覆う状態に設けたことを特徴とする請求項１に記載のコンバインの操作装置。
【請求項３】
前記横カバー（１８）部は、左側下方へ所定角度（θ１）で傾斜させて設けたことを特徴とする請求項１、又は請求項２に記載のコンバインの操作装置。
【請求項４】
前記走行車台（２）の上側面へ載置して穀稈の供給を受けて、脱穀する脱穀機（５）の前側部へ案内漏斗（５ａ）を装着して設け、穀稈を該脱穀機（５）内へ案内する該案内漏斗（５ａ）の上側へ重合状態に、横カバー（１８）部を延長して設けたことを特徴とする請求項１、又は請求項２、又は請求項３に記載のコンバインの操作装置。
【発明の詳細な説明】
【技術分野】
【０００１】
走行車台の上部には、各種操作レバー等を装着する操作ボックスの上側を覆う前後に二分割した前・後操作パネルを着脱自在に設け、この後操作パネルの前部横側には、下部へ設けた油圧式無段変速装置を覆う横カバーを、後操作パネルと一体に設けた技術であり、コンバインの操作装置として利用できる。
【背景技術】
【０００２】
コンバインで立毛穀稈を収穫作業のときに、運転操作する操作盤は、特開平１１−６５６９２号公報で示す如くこの操作盤を上面から覆う操作パネルを、この操作パネルを貫通して設けた各種操作レバーの揺動操作方向に沿う方向の一端における、該操作レバーの揺動軸芯とほぼ平行な枢支点周りで揺動開閉自在に操作パネルを設けた、操作盤へ設けた各種操作レバーを操作して、収穫作業を行う。
【特許文献１】特開平１１−６５６９２号公報
【発明の開示】
【発明が解決しようとする課題】
【０００３】
操作盤の上側へ設けた操作パネル全体を開状態に操作して、操作盤の下側の後方部へメンテナンスを行う必要のある各部品が集中的に設けられている。これら各部品のメンテナンスを行うが、メンテナンスを行う必要のある部品側の上方部の操作パネルのみを開状態に操作できる構成とすべく、前後に二分割等に分割して、開操作する、例えば、後側の操作パネルを小型化して、操作の容易化と、構成の簡略化とを、この発明により、図ろうとするものである。
【課題を解決するための手段】
【０００４】
このために、この発明は、請求項１に記載の発明においては、走行車台（２）の上部へ設けた操縦席（８）の一方側の横側には、各種操作レバー（１５ａ），（１５ｂ）等を装着する操作ボックス（１４）と、該操作ボックス（１４）の上側を覆う前後に二分割した前操作パネル（１６）と、後操作パネル（１７）等とを着脱自在に設けたコンバインの操作装置において、前記走行車台（２）へ載置した油圧式無段変速装置（１９）を覆う横カバー（１８）を、後操作パネル（１７）の前部横側へ一体に設けたことを特徴とするコンバインの操作装置としたものである。
【０００５】
コンバインで立毛穀稈を収穫作業のときに、運転操作する操作装置の操作ボックス（１４）は、走行車台（２）の上部へ設け、運転作業者が搭乗する操縦席（８）の一方側、例えば、左横側へ設けている。この操作ボックス（１４）には、各種操作レバー（１５ａ），（１５ｂ）等を設けると共に、操作ボックス（１４）の上側を覆う前後に二分割した前操作パネル（１６）と、後操作パネル（１７）とを着脱自在に装着して設けた構成である。又、後操作パネル（１７）の前部左横側には、横カバー（１８）を、この後操作パネル（１７）と一体に形成して設けている。
【０００６】
前記横カバー（１８）部は、走行車台（２）へ載置して設けた油圧式無段変速装置（１９）を覆った状態に設けている。この油圧式無段変速装置（１９）をメンテナンスを行うときは、後操作パネル（１７）と一体になった横カバー（１８）とを取り外して行う。
【０００７】
請求項２に記載の発明においては、前記横カバー（１８）部は、走行車台（２）へ設けた走行用のミッションケース（２０）へ給油する給油口（２０ｃ）部を覆う状態に設けたことを特徴とする請求項１に記載のコンバインの操作装置としたものである。
【０００８】
前記後操作パネル（１７）と一体に形成して設けた横カバー（１８）部は、走行車台（２）へ設けた走行用のミッションケース（２０）へ給油する給油口（２０ｃ）の上部を覆う状態に設けている。又、ミッションケース（２０）へ給油するときは、後操作パネル（１７）と、一体になった横カバー（１８）とを取り外して行う。
【０００９】
請求項３に記載の発明においては、前記横カバー（１８）部は、左側下方へ所定角度（θ１）で傾斜させて設けたことを特徴とする請求項１、又は請求項２に記載のコンバインの操作装置としたものである。
【００１０】
前記後操作パネル（１７）と、一体に形成して設けた横カバー（１８）部は、左側下方へ所定角度（θ１）で傾斜させて設け、収穫作業中に、この横カバー（１８）上へ落下した藁屑、及び塵埃等は、この横カバー（１８）上側面を流下して、圃場表面へ排出される。
【００１１】
請求項４に記載の発明においては、前記走行車台（２）の上側面へ載置して穀稈の供給を受けて、脱穀する脱穀機（５）の前側部へ案内漏斗（５ａ）を装着して設け、穀稈を該脱穀機（５）内へ案内する該案内漏斗（５ａ）の上側へ重合状態に、横カバー（１８）部を延長して設けたことを特徴とする請求項１、又は請求項２、又は請求項３に記載のコンバインの操作装置としたものである。
【００１２】
前記走行車台（２）の上側面には、刈取り穀稈の供給を受けて、脱穀する脱穀機（５）を載置して設けている。この脱穀機（５）の前側部には、刈取り穀稈をこの脱穀機（５）内へ案内する案内漏斗（５ａ）を設けた構成である。この案内漏斗（５ａ）の上側へ重合状態に横カバー（１８）部を延長して設けている。
【００１３】
刈取り作業中に脱粒した極小量の穀粒、塵埃、及び藁屑等が、前記横カバー（１８）の上側面へ落下すると、この横カバー（１８）の上側面を流下して、脱穀機（５）の案内漏斗（５ａ）上へ供給され、この案内漏斗（５ａ）から脱穀機（５）内へ供給されて、処理される。又、案内漏斗（５ａ）から飛散する穀粒を防止している。
【発明の効果】
【００１４】
請求項１に記載の発明においては、各種操作レバー（１５ａ），（１５ｂ）等を設けた操作ボックス（１４）の上側を覆う前・後操作パネル（１６），（１７）を着脱自在に設け、後操作パネル（１７）の前部横側へ横カバー（１８）を、後操作パネル（１７）と一体に形成して設けて、油圧式無段変速装置（１９）を横カバー（１８）で覆う構成としたことにより、この油圧式無段変速装置（１９）上へ塵埃等の溜りを防止することができる。又、一体に形成したことにより、コスト低減が可能である。更に、後操作パネル（１７）と、横カバー（１８）とを一体一体で取り外しすることで、油圧式無段変速装置（１９）のメンテナンスが容易で簡単である。
【００１５】
請求項２に記載の発明においては、前記横カバー（１８）部は、走行車台（２）へ設けた走行用のミッションケース（２０）へ給油する給油口（２０ｃ）部を覆う状態に設けたことにより、この給油口（２０ｃ）部へ塵埃等の溜りを防止できる。又、後操作パネル（１７）と、横カバー（１８）とを一体で取り外しすることで、給油口（２０ｃ）への給油、及びメンテナンスが容易で簡単である。
【００１６】
請求項３に記載の発明においては、前記横カバー（１８）部は、左側下方へ所定角度（θ１）で傾斜させて設けたことにより、走行用のミッションケース（２０）の左側から塵埃等を下部の圃場へ排出することができる。又、油圧式無段変速装置（１９）のファンの風により、機体左側へ塵埃等を飛ばすことにより、機体に塵埃等が溜ることを防止できる。
【００１７】
請求項４に記載の発明においては、穀稈を受けて、脱穀する脱穀機（５）の前側へ設けた案内漏斗（５ａ）の上側には、横カバー（１８）を延長して重合状態に設けたことにより、脱穀機（５）の案内漏斗（５ａ）から飛散する穀粒を防止できる。又、横カバー（１８）上側面へ落下した極少量の穀粒、及び塵埃等は、案内漏斗（５ａ）を経て、脱穀機（５）内へ供給されて、処理されることにより、穀粒等のロスを防止することができる。
【発明を実施するための最良の形態】
【００１８】
以下、本発明の一実施例を図面に基づいて説明する。
コンバイン１の走行車台２の前方部には、穀稈を刈取り後方上部へ移送する刈取機４を設けると共に、上側面には、刈取り穀稈の供給を受けて、引継ぎ挟持移送中に脱穀する脱穀機５を載置した構成である。走行車台２の上部には、運転作業者が搭乗する操縦席８の前部には、前操作装置９を設けると共に、左横側には、操作装置１３を設け、この操作装置１３の操作ボックス１４には、各種操作レバー１５ａ，１５ｂを設けると共に、この操作ボックス１４の上側を覆う前・後操作パネル１６，１７を着脱自在に設けた構成である。この後操作パネル１７の前部左横側には、横カバー１８を一体に設けた構成である。これら操作装置１３の操作ボックス１４と、前・後操作パネル１６，１７と、横カバー１８等とを主に図示して説明する。
【００１９】
前記コンバイン１の走行車台２の下側には、図１４で示す如く土壌面を走行する左右一対の走行クローラ３ａを張設した走行装置３を配設し、走行車台２の上側面には、脱穀機５を載置した構成である。走行車台２の前方部の刈取機４で立毛穀稈を刈取りし、この刈取り穀稈は、この刈取機４で後方上部へ移送され、脱穀機５のフィードチェン６ａと、挟持杆６ｂとで引継ぎされて、挟持移送されながら脱穀される。脱穀済みで選別済み穀粒は、脱穀機５の右横側に配設した穀粒貯留タンク７内へ一時貯留される。
【００２０】
前記走行車台２の前方部には、図１４で示す如く前端位置から立毛穀稈を分離するナローガイド２１ａ、及び各分草体２１ｂと、立毛穀稈を引起す各引起装置２１ｃと、引起された穀稈を掻込みする穀稈掻込移送装置２２の各掻込装置２２ａと、掻込された穀稈を刈取る刈刃装置２１ｄと、刈取りされた穀稈を挟持移送して、脱穀機５のフィードチェン６ａと、挟持杆６ｂとへ受渡しする穀稈掻込移送装置２２の根元・穂先移送装置２３ａ・２３ｂ等からなる刈取機４を設けている。該刈取機４は、油圧駆動による伸縮シリンダ２４により、土壌面に対して、昇降自在に移動する構成である。
【００２１】
前記刈取機４の前方下部から後方上部へ傾斜する支持杆２５ａの上端部には、左右方向に支持パイプ杆２５ｂを設け、この支持パイプ杆２５ｂを走行車台２の上側面に設けた支持装置２５ｃで回動自在に支持させて、伸縮シリンダ２４の作動により、刈取機４は支持パイプ杆２５ｂを回動中心として、上下に回動する構成である。
【００２２】
前記刈取機４の穀稈掻込移送装置２２によって形成される穀稈移送経路中には、刈取られて移送される穀稈に接触作用することにより、脱穀機５へ穀稈の供給の有無を検出する穀稈センサ４ａを設けた構成である。
【００２３】
前記穀粒貯留タンク７側の前部には、図１４で示す如くコンバイン１を始動、停止、及び各部を調節等の操作を行う。詳細は後述するが、操縦席８の前方部へ前操作装置９と、左横側部には、操作装置１３とを設けた構成である。これら操作を行う作業者が搭乗する操縦席８等とを設け、この操縦席８の下側で、走行車台２の上側面には、エンジン２６を載置すると共に、後方部には、穀粒貯留タンク７を配設する。これら走行装置３と、刈取機４と、脱穀機５と、エンジン２６等により、コンバイン１の機体１ａを形成した構成である。
【００２４】
前記走行車台２の前端部に装架した走行用のミッションケース２０内の伝動機構２０ａの伝動経路中には、その出力に基づいて、走行車速を検出するポテンションメータ方式の車速センサ２０ｂを設けた構成である。
【００２５】
前記ミッションケース２０の横側には、油圧ポンプ１９ａ、及び油圧モータ１９ｂ等を内装した油圧式無段変速装置１９を設け、エンジン２６から出力される回転数を、油圧式無段変速装置１９で変速して、ミッションケース２０へ入力され、このミッションケース２０へ内装した伝動機構２０ａの回転数が変速され、走行装置３の走行クローラ３ａの走行車速が変速される構成である。
【００２６】
前記前操作装置９は、図１、及び図１４で示す如く走行車台２の上部へ設けた操縦席８の前方部で、走行車台２の上部へ設けた構成である。前操作装置９は、箱形状の前操作ボックス１０の上側面には、前部操作パネル１１を着脱自在に設けた構成である。
【００２７】
前記前操作パネル１１の表面部には、走行装置３の走行方向を変更するときに、操作する方向制御レバー１２ａと、始動用スイッチ１２ｂと、警報ブザー１２ｃと、回転計１２ｄ等とを設けた構成である。
【００２８】
前記操作装置１３は、図１〜図５で示す如く走行車台２の上部へ設けた操縦席８の左横側で、走行車台２の上部へ設けた構成である。操作装置１３は、箱形状の操作ボックス１４の上側面には、前後方向に二分割して、前・後操作パネル１６，１７をボルト、及びナット等により、着脱自在に装着して設けた構成である。
【００２９】
前記前操作パネル１６の表面部には、各種の操作レバーである油圧式無段変速装置１９を変速するときに、操作する主変速レバー１５ａは、前挿入孔１６ａへ挿入して、「入」−「切」操作可能に操作ボックス１４へ回動自在に軸支した構成である。又、エンジン２６の回転数を変更するときに操作するスロットルレバー１５ｂは、前挿入孔１６ｂへ挿入して、操作ボックス１４へ前後回動自在に軸支した構成である。更に、路上走行速、又は作業速へ切換のときに操作する副変速レバー１５ｅを横挿入孔１６ｃへ挿入して、操作ボックス１４へ前後回動自在に軸支した構成である。
【００３０】
前記後操作パネル１７の表面部には、刈取機４と、脱穀機５とを始動、及び停止させるときに、操作する刈取レバー１５ｃと、脱穀レバー１５ｄとを挿入して、前後方向へ操作可能に、操作ボックス１４へ回動自在に軸支した構成である。図６で示す如くこの刈取レバー１５ｃの「入」−「切」操作により、この「入」−「切」操作に基づいて、脱穀レバー１５ｄも自動で「入」−「切」操作される構成であると共に、この脱穀レバー１５ｄのみを単独で「入」−「切」操作できる構成である。
【００３１】
前記走行車台２へ設けた油圧式無段変速装置１９の上部を覆うように、図１〜図４で示す如く後操作パネル１７の前部の左横側には、横カバー１８を前後方に所定巾で、内側（左側）へ向けて所定長さに形成して、この横カバー１８と、後操作パネル１７とは一体に形成して設けた構成である。油圧式無段変速装置１９をメンテナンス等を行うときには、一体に形成した後操作パネル１７と、横カバー１８とを、締付けたボルト、及びナットを取り外して、これら後操作パネル１７と、横カバー１８とを一体で取り外してメンテナンスを行う構成である。
【００３２】
前記油圧式無段変速装置１９の上部を覆う横カバー１８を、後操作パネル１７の前部の横内側へ一体に形成して設けたことにより、油圧式無段変速装置１９へ塵埃の溜りを防止することができる。又、後操作パネル１７と、横カバー１８とを一体に形成して設けたことにより、コスト低減が可能である。更に、後操作パネル１７と、横カバー１８とを一体で取り外すことにより、油圧式無段変速装置１９が上部よりまる見えになることにより、メンテナンスが容易である。
【００３３】
前記後操作パネル１７と一体に形成して設けた横カバー１８部は、図１〜図３で示す如く走行車台２へ設けた走行用のミッションケース２０へ設けている。給油口２０ｃ部も覆う状態に設けた構成である。又、このミッションケース２０は、油圧式無段変速装置１９の後側へ設けると共に、給油口２０ｃは、この油圧式無段変速装置１９へ近傍させて設けた構成である。ミッションケース２０へ給油するときには、一体に形成した後操作パネル１７と、横カバー１８とを、締付けたボルト、及びナット等を取り外して、これら後操作パネル１７と、横カバー１８とを一体で取り外して、給油口２０ｃより、ミッションケース２０内へ給油する構成である。
【００３４】
前記横カバー１８部は、走行車台２へ設けた走行用のミッションケース２０へ給油する給油口２０ｃの上部を覆う状態に設けたことにより、この給油口２０ｃ部へ塵埃等の溜りを防止することができる。又、後操作パネル１７と、横カバー１８とを一体で取り外すことにより、給油口２０ｃ部がまる見えになることにより、給油、及びメンテナンスが容易である。
【００３５】
前記後操作パネル１７と、一体に形成して設けた横カバー１８部は、図２、及び図５で示す如く左側下方へ向けて、所定角度（θ１）で傾斜させて設けた構成である。
前記横カバー１８部は、左側下方へ所定角度（θ１）で傾斜させて設けたことにより、この横カバー１８の上側面を、塵埃は流下して圃場へ排出することができる。又、油圧式無段変速装置１９のファンの風により、機体１ａの左側へ塵埃を飛ばすことにより、この機体１ａに塵埃等が溜ることを防止できる。
【００３６】
前記走行車台２の上側面へ載置した穀稈を脱穀する脱穀機５は、図５で示す如くこの脱穀機５の前側部には、刈取機４の穀稈掻込移送装置２２の根元・穂先移送装置２３ａ，２３ｂで移送される穀稈を受けて、脱穀機５内へ供給案内する案内漏斗５ａを設けた構成である。
【００３７】
前記後操作パネル１７と一体に形成して設けた横カバー１８は、図５で示す如く脱穀機５の前側へ設けた案内漏斗５ａの上側へ重合状態に、横カバー１８部を延長して設けた構成である。
【００３８】
穀稈を受けて、脱穀する脱穀機５の前側へ設けた案内漏斗５ａの上側には、横カバー１８部を延長して、重合状態に設けたことにより、脱穀機５の案内漏斗５ａから飛散する穀粒を防止することができる。又、横カバー１８部の上側面へ落下した極少量の穀粒、及び塵埃等は、案内漏斗５ａを経て脱穀機５内へ供給されて、処理されることにより、穀粒等のロスを防止することができる。
【００３９】
前記後操作パネル１７と一体に形成して設けた横カバー１８は、図５、及び図７で示す如く左側下方へ所定角度（θ１）で傾斜させて設けた、この横カバー１８は、刈取機４の穂先移送装置２３ｂの上側へ設けた搬送部カバー２７ａの下方へ向けて延長して設けた構成である。
【００４０】
穀稈を移送する前記刈取機４の穂先移送装置２３ｂの上側へ設けた搬送部カバー２７ａから流下する藁屑、稈切、塵埃等は、横カバー１８で受けて、左側下部へ流下させることにより、ミッションケース２０、及び油圧式無段変速装置１９等へこれらが溜ることを防止できる。
【００４１】
前記前操作パネル１６の前部から左側を経て、後操作パネル１７へ設けた横カバー１８へ重合状態に、図１〜図４で示す如く樹脂材、又はゴム材、又は鉄板等によりなる垂れ幕２７ｂを下方へ所定長さに形成して設けた構成である。又、横カバー１８には、爪１８ａを設け、この爪１８ａ部へ垂れ幕２７ｂの切込み部を挿入して装着した構成である。
【００４２】
これにより、前記垂れ幕２７ｂを、後操作パネル１７上へ重合させて設けたことにより、垂れ幕２７ｂに膨らみを持たせることができる。又、膨らませることにより、ミッションケース２０の上部の広い範囲をカバーすることができる。これにより、藁屑等の溜りを防止することができる。更に、垂れ幕２７ｂの取付けが容易である。
【００４３】
前記前操作パネル１６の前部には、図１で示す如くアワメータ１６ｄを、前操作装置９の前部操作パネル１１へ設けた回転計１２ｄから、独立させて設けた構成である。又、前操作パネル１６の前部には、ウィンかと、ホーンと、ライトとを「入」−「切」するときに操作する個別のスイッチ、又はスイッチレバー等を設けたスイッチ装置１６ｅを設けた構成である。
【００４４】
これにより、前記回転計１２ｄと、アワメータ１６ｄとを分割したことにより、破損時の部品交換が容易である。又、交換コストが安価になる。更に、視認性の向上を図ることができる。
【００４５】
前記エンジン２６のエンジン軸２６ｂへ軸支したエンジンプーリ２６ａから、脱穀機５へエンジン２６の回転動力を入力する、脱穀機５へ設けた脱穀プーリ５ｂと、エンジンプーリ２６ａとには、図８、及び図９で示す如くベルト２６ｃを掛け渡した構成である。又、脱穀プーリ５ｂの上部には、ベルトカバー５ｃを操作装置１３の操作ボックス１４の上側へ装着した後操作パネル１７の上側面へ装着して設けた構成である。又、ベルトカバー５ｃの下側へ脱穀機５へ伝動する伝動関係部品を設けた構成である。２８ａは脱穀テンション装置である。
【００４６】
これにより、前記ベルトカバー５ｃと、後操作パネル１７とを一体で取り外しすることにより、ベルト２６ｃ等のメンテナンスが容易である。又、一体化することにより、部品点数の削減、組立工数の削減等によりコスト低減が可能である。
【００４７】
前記ベルトカバー５ｃの下部には、図８、及び図９で示す如くエンジン２６のエンジンプーリ２６ａと、油圧式無段変速装置１９へ軸支して設けた変速プーリ１９ｃとには、変速用ベルト１９ｄを掛け渡して設けた構成である。エンジン２６の回転動力が油圧式無段変速装置１９へ入力され、この油圧式無段変速装置１９で変速される構成である。２８ｂは油圧用テンション装置である。ベルトカバー５ｃの下部へエンジン２６のエンジンプーリ２６ａを位置させて設けた構成である。
【００４８】
これにより、前記ベルトカバー５ｃと、後操作パネル１７とを一体で取り外しすることにより、変速用ベルト１９ｄ、及びエンジンプーリ２６ａ等のメンテナンスが容易である。
【００４９】
前記前操作装置９へ接続するメインハーネス２９は、図８、及び図９で示す如く操作装置１３の前・後操作パネル１６，１７の下側へ位置させて設けた構成である。
これにより、前記前・後操作パネル１６，１７を取り外すことにより、メインハーネス２９のメンテナンスが容易である。
【００５０】
前記脱穀機５を始動、及び停止させるときに操作する脱穀レバー１５ｄには、図１０、及び図１１で示す如く操作軸３０ｂを装着して設け、操作軸３０ｂは、操作ボックス１４へ回動自在に軸支して設け、この操作軸３０ｂには、取付板３０ａを装着して設け、この取付板３０ａには、クラッチロット３０ｃを装着して設け、このクラッチロット３０ｃは長さを調節可能に構成している。
【００５１】
前記脱穀テンション装置２８ａは、図１０、及び図１１で示す如くアーム３１ａの下端部を支持ピン３１ｄで回動自在に軸支して設けると共に、上端部には、支持軸３１ｃを軸支して設け、この支持軸３１ｃには、テンションプーリ３１ｂを軸支した構成である。アーム３１ａの上部と、クラッチロット３０ｃの下端部との間には、スプリング３０ｄを設けて、接続した構成である。又、クラッチロット３０ｃ等は、ベルトカバー５ｃの下部へ位置させて設けた構成である。
【００５２】
これにより、前記後操作パネル１７と、横カバー１８とを一体で取り外すことにより、クラッチロット３０ｃのメンテナンス、及び長さ調節が簡単に容易に行うことができる。
前記エンジン２６のマフラー２６ｄは、図８、及び図９で示す如く後操作パネル１７の下部へ排気口を設けて、エンジン２６の後側へ装着して設けた構成である。
【００５３】
これにより、前記後操作パネル１７を取り外すことにより、マフラー２６ｄのメンテナンスが容易である。
前記前・後操作パネル１６，１７を装着するフレーム３２は、図１０、及び図１１で示す如く平面視、及び側面視共に、略クランク形状（イ）に形成して設けると共に、このフレーム３２には、複数個の取付板３２ａを設け、この各取付板３２ａへ前・後操作パネル１６，１７をボルト、及びナット等により、装着する構成である。又、このフレーム３２と、脱穀機５との間へ脱穀伝動機構２８ｃを設けた構成である。
【００５４】
これにより、前記脱穀機５の脱穀伝動機構２８ｃの装着が容易である。
前記脱穀レバー１５ｄは、図９、及び図１０で示す如く平面視は、後方部のフレーム３２と、脱穀機５との間に設けると共に、側面視は、フレーム３２のクランク形状（イ）の後側部へ設けた構成である。
【００５５】
これにより、前記フレーム３２、及び脱穀レバー１５ｄ部の構成がシンプルであり、又、コンパクトでコスト低減になる。
前記フレーム３２のクランク形状（イ）部の前側のフレーム３２と、操縦席８との間には、図１２、及び図１３で示す如く主変速レバー１５ａを片持ちで設けた構成である。
【００５６】
前記フレーム３２の前側のクランク形状（イ）部には、支持板３３を固着して設け、この支持板３３には、支持軸３３ａを固着して設け、この支持軸３３ａには、主変速レバー１５ａの支持ボス３４ａへ接続板３４ｂを設け、この接続板３４ｂを支持軸３３ａで軸支すると共に、接続板３４ｂの左右両側には、各皿バネ３４ｃを挿入すると共に、操縦席８側には、座金３４ｄを挿入すると共に、各ナット３４ｅを螺挿入した構成である。支持ボス３４ａへ設けた主変速レバー１５ａの操作により、前後進行位置、又は任意位置へ操作して、走行車速を設定する構成である。
【００５７】
これにより、前記前・後操作パネル１６，１７を取り外しすることにより、主変速レバー１５ａ部のメンテナンスが容易である。
前記フレーム３２の前側部側の前方部には、図１２、及び図１３で示す如くクランク形状の取付板３５を固着して設け、この取付板３５の一方側の上部には、支持ピン３５ａを固着して設けた構成である。この支持ピン３５ａには、スロットルレバー１５ｂと、スプリング３６ａと、スロットルレバー１５ｂの左右両側へ各座金３６ｂとを挿入して軸支すると共に、各ナット３６ｃを螺挿入した構成である。スロットルレバー１５ｂの回動操作により、エンジン２６の出力回転数を変更できる構成である。
【００５８】
これにより、前操作パネル１６を取り外すことにより、スロットルレバー１５ｂ部のメンテナンスが容易である。
前記前・後操作パネル１６，１７を装着するフレーム３２は、図１５、及び図１６で示す如く前方部側は、上下方向に低い位置とすると共に、後方部側は、上下方向に高い位置として、略クランク形状（イ）に形成した構成である。
【００５９】
これにより、前記前・後操作パネル１６，１７の取付け強度アップを図ると共に、エンジン２６からの冷却風の抜けを良好にした。
前記フレーム３２の後方部側の高い位置にある、このフレーム３２には、図１７で示す如くＬ字形状の取付板３２ｂを、上方へ突出させて固着して設け、この取付板３２ｂへエンジンカバー２６ｅをボルト、及びナット等により、装着して設けた構成である。
【００６０】
これにより、前記操縦席８へ作業者が乗車時に、この操縦席８からエンジンカバー２６ｅを介して、フレーム３２へ作業者の体重が負荷されることにより、取付板３２ｂの強度が必要となるが、強度のあるフレーム３２上へ設けたことにより、剛性がアップし、強度確保が容易である。
【００６１】
前記穀粒貯留タンク７内へ貯留した貯留穀粒を機外へ排出するこの穀粒貯留タンク７の後側には、縦移送螺旋３７ａを内装した排出支持筒３７を略垂直姿勢で旋回自在に装着して設け、この排出支持筒３７の上端部には、その全長がコンバイン１の前後長に亘る機外へ穀粒を排出する排出螺旋３８ａを伸縮自在に内装した排出オーガ３８を伸縮自在、上下回動自在、及び左右旋回自在に前後方向に配設した構成である。
【図面の簡単な説明】
【００６２】
【図１】前操作装置部と、後操作装置部との拡大平面図
【図２】操作装置部の拡大正面図
【図３】操作装置部の拡大平面図
【図４】操作装置部の拡大側面図
【図５】操作装置部と、脱穀機部との拡大正面図
【図６】脱穀レバーと、刈取レバーとの拡大正面図
【図７】操作パネル部と、搬送部カバー部との拡大側面斜視図
【図８】操作装置部と、エンジン部と、ミッションケース部と、油圧式無段変速装置部との拡大側面図
【図９】操作装置部と、エンジン部と、ミッションケース部と、油圧式無段変速装置部との拡大平面図
【図１０】脱穀レバー取付部の拡大側面図
【図１１】脱穀レバー取付部の拡大平面図
【図１２】主変速レバー取付部の拡大平面図
【図１３】主変速レジー取付部の拡大側面図
【図１４】コンバインの左側全体側面図
【図１５】他の実施例を示す図で、エンジンカバー取付部の拡大側面図
【図１６】他の実施例を示す図で、エンジンカバー取付部の拡大平面図
【図１７】他の実施例を示す図で、エンジンカバー取付部の拡大背面図
【符号の説明】
【００６３】
２      走行車台
５      脱穀機
５ａ    案内漏斗
８      操縦席
１４    操作ボックス
１５ａ  主変速レバー
１５ｂ  スロットルレバー
１６    前操作パネル
１７    後操作パネル
１８    横カバー
１９    油圧式無段変速装置
２０    ミッションケース
２０ｃ  給油口
θ１    所定角度
【図１】
2006230282.tif 000003
【図２】
2006230282.tif 000004
【図３】
2006230282.tif 000005
【図４】
2006230282.tif 000006
【図５】
2006230282.tif 000007
【図６】
2006230282.tif 000008
【図７】
2006230282.tif 000009
【図８】
2006230282.tif 000010
【図９】
2006230282.tif 000011
【図１０】
2006230282.tif 000012
【図１１】
2006230282.tif 000013
【図１２】
2006230282.tif 000014
【図１３】
2006230282.tif 000015
【図１４】
2006230282.tif 000016
【図１５】
2006230282.tif 000017
【図１６】
2006230282.tif 000018
【図１７】
2006230282.tif 000019